(57)【要約】【課題】 電気ワックス彫刻刀の構造を使用が容易であるように改善することで、使用上の便利性を付与し得る電気ワックス彫刻刀を提供する。【解決手段】 中空の管体の内側に備えられたタンクにワックスが収容される本体と、該本体の一端部に装着され、ホールが形成された彫刻用チップと、電源の供給によって発熱される発熱体と、前記本体と電気接続されるように電線によって連結された電気ワックス彫刻刀において、前記本体は、分離/結合が可能な複数個の室から構成され、少なくとも一つの室には、彫刻用チップ結合部が形成されて、前記タンクと彫刻用チップ結合部とを連結して管路を形成する管体が備えられたことを特徴とする。【選択図】図１
2007521060.tif 000002
【特許請求の範囲】
【請求項１】
中空の管体の内側に備えられたタンクにワックスが収容される本体と、該本体の一端部に装着され、ホールが形成された彫刻用チップと、電源の供給によって発熱される発熱体と、前記本体と電気接続されるように電線によって連結された電気ワックス彫刻刀において、
前記本体は、分離/結合が可能な複数個の室から構成され、少なくとも一つの室には、彫刻用チップ結合部が形成されて、前記タンクと彫刻用チップ結合部とを連結して管路を形成する管体が備えられたことを特徴とする電気ワックス彫刻刀。
【請求項２】
前記本体は、一端部に彫刻用チップ結合部と連結される出口が形成され、他端部は流入口が形成される管体を持つ第１室と、
該第１室の管体の流入口に連結される吐出口が形成されて、内側にワックスが収容されるタンクを持つ第２室と、が備えられたことを特徴とする請求項１記載の電気ワックス彫刻刀。
【請求項３】
前記発熱体は、前記第１室の出口側または前記第２室の吐出口側の中で少なくとも何れか一側に選択的に配置されたことを特徴とする請求項２記載の電気ワックス彫刻刀。
【請求項４】
前記出口、流入口、吐出口の管路及びタンク底面部の中で少なくとも何れか一側には、溶融されたワックスに含有された異物質をこすフィルターがさらに含まれることを特徴とする請求項２記載の電気ワックス彫刻刀。
【請求項５】
前記出口と流入口側の間の管路には、前記動作ボタンの動作によって管路を選択的に開放するか、または閉鎖するバルブが備えられたことを特徴とする請求項２記載の電気ワックス彫刻刀。
【請求項６】
前記バルブは、前記動作ボタンと電気接続されたソレノイドであることを特徴とする請求項５記載の電気ワックス彫刻刀。
【請求項７】
前記流入口と前記吐出口の少なくとも何れか一側には、前記本体の第１、２室を分離時に前記流入口または前記吐出口を通じて溶融されたワックスが排出されることを遮断する第２バルブがさらに備えられたことを特徴とする請求項２記載の電気ワックス彫刻刀。
【請求項８】
前記第２バルブは、前記吐出口の内周面に円周方向に形成された少なくとも二つ以上の突起部と、
これら突起部と前記流入口に向いた前記吐出口側に配置された弾性部材と、
一側には前記弾性部材に支持されるフランジ部が備えられ、他側には前記フランジ部の中心部から管軸方向に延長設置されて前記流入口に向いて流入された作動ピンを持つ作動部材と、
前記流入口側に配置されて、前記作動ピンの一端部が前記フィルターに支持されることを特徴とする請求項７記載の電気ワックス彫刻刀。
【請求項９】
前記第１室には、前記発熱体の温度を感知して電源が供給されることを遮断する温度感知部が備えられたことを特徴とする請求項２記載の電気ワックス彫刻刀。
【請求項１０】
中空の内側にワックスが収容されるタンクを持つ本体と、該本体の一端部に装着される彫刻用チップの電源の供給によって発熱される発熱体と、該発熱体と電気接続されるように電線によって連結された電気ワックス彫刻刀において、
前記本体は、前記彫刻用チップが結合される彫刻用チップ結合部が本体に一体に形成されて、その内側にワックスが入るタンクが装着され、前記結合部と前記タンクとを連結して管路を形成する管体が備えられたことを特徴とする電気ワックス彫刻刀。
【請求項１１】
前記発熱体は、前記管体の長さ方向に対して少なくとも何れか一側に選択的に配置されたことを特徴とする請求項１０記載の電気ワックス彫刻刀。
【請求項１２】
前記発熱体は、前記管体のタンク側と彫刻用チップ側にそれぞれ配置されたことを特徴とする請求項１０記載の電気ワックス彫刻刀。
【請求項１３】
前記管体、前記出口側の何れか一側、または前記タンクの底面の中で少なくとも何れか一つには、前記ワックスに含有された異物質をこすフィルターがさらに配置されたことを特徴とする請求項１０記載の電気ワックス彫刻刀。
【請求項１４】
前記管体の管路には、前記動作ボタンの動作によって管路を選択的に開放するか、または閉鎖するバルブがさらに備えられたことを特徴とする請求項１０記載の電気ワックス彫刻刀。
【請求項１５】
前記バルブは、前記動作ボタンと電気接続されたソレノイドバルブであることを特徴とする請求項１０記載の電気ワックス彫刻刀。
【請求項１６】
前記出口と隣接した前記管体の管路側には、温度を感知して電源の供給を中断させる温度感知部が備えられたことを特徴とする請求項１０記載の電気ワックス彫刻刀。
【請求項１７】
中空体が備えられた内側にワックスが収容されるタンクを持つ本体と、該本体の一端部に装着される彫刻用チップと、電源の供給によって発熱される発熱体と、該発熱体と電気接続されるように電線によって連結された電気ワックス彫刻刀において、
前記本体は、外側面に動作ボタンが備えられて、該動作ボタンが設置された内側には、動作ボタンによって動作される制御部が配置され、前記彫刻用チップと前記タンクの間には、一側は彫刻用チップと管路を形成し、他方はタンクの出口側と管路を形成するソレノイドバルブが動作ボタンの動作によって動作されるように装着されたことを特徴とする電気ワックス彫刻刀。
【請求項１８】
前記本体の他端部には、空気調節バルブが備えられたキャップが装着され、前記タンクは、前記キャップと共に一体で分離されるように備えられたことを特徴とする請求項１７記載の電気ワックス彫刻刀。
【請求項１９】
前記タンクは、その一端部と他端部がそれぞれ前記キャップと前記ソレノイドバルブから分離可能に設置され、出口側である他端部には異物質をこすフィルターが配置されて、内部には一回用ワックスが入っていることを特徴とする請求項１８記載の電気ワックス彫刻刀。
【請求項２０】
前記発熱体は、前記彫刻用チップ、前記ソレノイドバルブ、そして前記タンクの出口側の中で少なくとも何れか一方に配置されたことを特徴とする請求項１７記載の電気ワックス彫刻刀。
【発明の詳細な説明】
【技術分野】
【０００１】
本発明は、電気ワックス彫刻刀に係るもので、詳しくは、電気ワックス彫刻刀の構造を使用が容易になるように改善することで、使用上の便利性を付与し得る電気ワックス彫刻刀に関するものである。
【背景技術】
【０００２】
公知されているように、電気ワックス彫刻刀は、例えば、歯状のモールドを製造する時、ワックスをつけて歯型にかぶせるなどの作業をする時に使用する器具である。
【０００３】
このような電気ワックス彫刻刀は、既にいろいろな形態のものが多数提案されているが、一般的なものとしては、アルコールランプの熱を利用して彫刻刀のチップを加熱した後、該過熱された彫刻刀のチップを利用してワックスを溶融させ、該溶融されたワックスを利用して被対象物にかぶせる方法を挙げることができる。
【発明の開示】
【発明が解決しようとする課題】
【０００４】
しかし、従来の方法においては、熱された彫刻刀のチップが容易に冷めるため、再び熱して使用しなければならないという問題点があった。
【０００５】
結局、従来の構造及び方法においては、作業の効率性が落ちるという問題点があった。
【０００６】
また、従来の他の方法としては、彫刻刀にヒータを設けてワックスを溶融させて使用する方法があるが、彫刻刀の本体の内部に装着されるワックスを溶融させるためのヒータが本体の長さ方向の全体にわたって設置された状態で、持続的に電源を供給してヒータを発熱させなければならないため、使用時に取手の部分まで熱くなり、また、使用時にバルブによるワックス量の調節が不可能で、不純物によって吐出口が詰まるという問題点があった。
【０００７】
本発明は、このような問題点に鑑みてなされたもので、電気ワックス彫刻刀の構造を使用が容易になるように改善することで、使用上の便利性を付与し得る電気ワックス彫刻刀を提供することを目的とする。
【課題を解決するための手段】
【０００８】
前記目的を達成するために、本発明に係る電気ワックス彫刻刀の第１実施形態においては、中空の管体の内側に備えられたタンクにワックスが収容される本体と、該本体の一端部に装着され、ホールが形成された彫刻用チップと、電源の供給によって発熱される発熱体と、前記本体と電気接続されるように電線によって連結された電気ワックス彫刻刀において、前記本体は、分離/結合が可能な複数個の室から構成され、少なくとも一つの室には、彫刻用チップ結合部が形成されて、前記タンクと彫刻用チップ結合部とを連結して管路を形成する管体が備えられたことを特徴とする。
【０００９】
前記本発明に係る第１実施形態を効果的に構成するための構成要素としては、前記本体は一端部に彫刻用チップ結合部と連結される出口が形成され、他端部は流入口が形成される管体を持つ第１室と、該第１室の管体の流入口に連結される吐出口が形成されて、内側にワックスが収容されるタンクを持つ第２室と、が備えられることが好ましい。
【００１０】
前記本発明に係る第１実施形態を効果的に構成するための他の構成要素は、前記発熱体は、前記第１室の出口側または前記第２室の吐出口側の中で少なくとも何れか一側に選択的に配置されることが好ましい。
【００１１】
また、前記本発明に係る第１実施形態を効果的に構成するための他の構成要素は、前記出口、流入口、吐出口の管路及びタンクの底面部の中で少なくとも何れか一側には、溶融されたワックスに含有された異物質をこすフィルターが配置されることが好ましい。
【００１２】
また、前記本発明に係る第１実施形態を効果的に構成するための他の構成要素は、前記
出口と流入口の間の管路には、前記動作ボタンの動作による管路を選択的に開放するか、または閉鎖するバルブが備えられることが好ましい。
【００１３】
また、前記本発明に係る第１実施形態を効果的に構成するための他の構成要素は、前記バルブは、前記動作ボタンと電気接続されたソレノイドバルブであることが好ましい。
【００１４】
また、前記本発明に係る第１実施形態を効果的に構成するための他の構成要素は、前記流入口と前記吐出口の少なくても何れか一側には、前記本体の第１、２室を分離時に前記流入口または前記吐出口を通して溶融されたワックスが排出されることを遮断する第２バルブがさらに備えられることが好ましい。
【００１５】
また、前記本発明に係る第１実施形態を効果的に構成するための他の構成要素は、前記第２バルブは、前記吐出口の内周面に円周方向に形成された少なくとも二つ以上の突起部と、これら突起部と前記流入口に向いた前記吐出口側に配置された弾性部材と、一側は前記弾性部材に支持されるフランジ部が備えられ、他側は前記フランジ部の中心部から管軸方向に延長設置されて、前記流入口に向いて流入された作動ピンを持つ作動部材と、前記流入口側に配置されて、前記作動ピンの一端部が前記フィルターに支持されることが好ましい。
【００１６】
また、前記本発明に係る第１実施形態を効果的に構成するための他の構成要素は、前記第１室には、前記発熱体の温度を感知して電源が供給されることを遮断する温度感知部が備えられることが好ましい。
【００１７】
発明に係るワックス彫刻刀の第２実施形態においては、中空の内側にワックスが収容されるタンクを持つ本体と、該本体の一端部に装着される彫刻用チップと、電源の供給によって発熱される発熱体と、該発熱体と電気接続されるように電線によって連結された電気ワックス彫刻刀において、前記本体は、前記彫刻用チップが結合される彫刻用チップ結合部が本体に一体に形成されて、その内側にワックスが入るタンクが装着され、前記結合部と前記タンクとを連結して管路を形成する管体が備えられたことを特徴とする。
【００１８】
前記本発明に係る第２実施形態を効果的に構成するための構成要素は、前記発熱体は、前記管体の長さ方向に対して少なくとも何れか一側に選択的に配置されることが好ましい。
【００１９】
また、前記本発明に係る第２実施形態を効果的に構成するための他の構成要素は、前記発熱体は、前記管体のタンク側と彫刻用チップ側にそれぞれ配置されることが好ましい。
【００２０】
また、前記本発明に係る第２実施形態を効果的に構成するための他の構成要素は、前記管体、前記出口側の何れか一側、または前記タンクの底面の中で少なくとも何れか一つには、前記ワックスに含有された異物質をこすフィルターがさらに配置されることが好ましい。
【００２１】
また、前記本発明に係る第２実施形態を効果的に構成するための他の構成要素は、前記管体の管路には、前記動作ボタンの動作によって管路を選択的に開放するか、または閉鎖するバルブが備えられることが好ましい。
【００２２】
また、前記本発明に係る第２実施形態を効果的に構成するための他の構成要素は、前記バルブは、前記動作ボタンと電気接続されたソレノイドバルブであることが好ましい。
【００２３】
また、前記本発明に係る第２実施形態を効果的に構成するための他の構成要素は、前記出口と隣接した前記管体の管路側には、温度を感知して電源の供給を中断させる温度感知部が備えられることが好ましい。
【００２４】
また、前記本発明に係る電気ワックス彫刻刀の第３実施形態においては、中空体が備えられた内側にワックスが収容されるタンクを持つ本体と、該本体の一端部に装着される彫刻用チップと、電源の供給によって発熱される発熱体と、該発熱体と電気接続されるように電線によって連結された電気ワックス彫刻刀において、前記本体は、外側面に動作ボタンが具備されて、該動作ボタンが設置された内側には、動作ボタンによって動作される制御部が配置され、前記彫刻用チップと前記タンクの間には、一側は彫刻用チップと管路を形成し、他方はタンクの出口側と管路を形成するバルブが動作ボタンの動作によって動作されるように装着されることを特徴とする。
【００２５】
前記本発明に係る第３実施形態を効果的に構成するための構成要素としては、前記本体の他端部には、空気調節バルブが備えられたキャップが装着され、前記タンクは、前記キャップと共に一体で分離されるように備えられることが好ましい。
【００２６】
また、前記本発明に係る第３実施形態を効果的に構成するための構成要素としては、前記タンクは、その一端部と他端部がそれぞれ前記キャップと前記ソレノイドバルブから分離可能に設置され、出口側である他端部には異物質をこすフィルターが配置されて、内部には一回用ワックスが入っていることが好ましい。
【００２７】
また、前記本発明に係る第３実施形態を効果的に構成するための構成要素としては、前記発熱体は、前記彫刻用チップ、前記バルブ、そして前記タンクの出口側の中で少なくとも何れか一方に配置されることが好ましい。
【発明の効果】
【００２８】
本発明に係る電気ワックス彫刻刀においては、従来の電気ワックス彫刻刀の構造を使用が容易になるように改善することで、使用上の便利性を付与し得るという効果がある。
【発明を実施するための最良の形態】
【００２９】
以下、本発明に係る実施形態について図面を用いて説明する。
【００３０】
図１及び図２には、本発明に係る電気ワックス彫刻刀の第１実施形態を示した分解斜視図と断面図が図示されていて、図３乃至図９には、本実施形態の詳細な例を示した図が図示されていて、図１０乃至図１４には、本発明に係る他の実施形態を具体的に示した断面図と斜視図が図示されている。
【００３１】
また、本発明に係る他の実施形態の重複される部分の図面には、同一の符号を付与し、追加的な説明は省略する。
【００３２】
本発明に係る電気ワックス彫刻刀の本体１０においては、図示されたように、中空の管体で製作され、その内側には、ワックス（Ｗ）が収容されるタンク１１が備えられてキャップ２０によって密閉される。
【００３３】
また、前記本体１０の一端部には、ホール３１が形成された彫刻用チップ３０が装着され、上側の適当な所には、後述するバルブと発熱体などを駆動させるための動作ボタン１２が配置される。
【００３４】
また、前記タンク１１の外周面側には、発熱体１３が配置され、前記本体１０は、電線によってコントロールボックス（Ｃ）と電気接続されるが、これは、上述した本出願人が先出願特許中である電気ワックス彫刻刀の構成と同様である。
【００３５】
一方、前記コントロールボックス（Ｃ）は、図６に示したように、制御部（Ｃ１）と、電源供給部（Ｃ２）と、発熱体駆動部（Ｃ３）と、バルブ駆動部（Ｃ４）と、を含む。
【００３６】
しかし、ここで、本発明に係る第１実施形態の特徴点は、前記本体１０には、第１、２室１０a、１０ｂが備えられ、前記第１室１０aは、一端部に彫刻用チップ３０が装着される出口１４が形成され、他端部には流入口１５が形成される点、前記第２室１０ｂは、前記第１室１０aの流入口１５と一致する吐出口１６が形成され、内側にワックス（Ｗ）が収容されるタンク１１が区画されて電源が供給されるコネクタ１００が配置される点である。
【００３７】
このためには、前記第１室１０aに備えられた流入口１５と出口１４、前記第２室１０ｂに備えられた吐出口１６は、射出によって前記本体１０と一体に製作され得るが、別途の管体に製作して相接しながら気密を維持し得るように製作されることもできる。
【００３８】
しかし、好ましくは、流入口１５と吐出口１６は、何れか一方の管の内径と他方の管の外径とを同一にしてむりやりに挿めて気密を維持し得るようにすることが好ましく、より好ましくは、流入口１５と吐出口１６とが接触する別途のパッキング用リングやシーリング部材などが設置されて気密を維持し得るようにすることができる。
【００３９】
また、好ましくは、流入口１５と出口１４を形成する管体が別途に製作される場合には、管体の外周面に放射状に形成される別途のリブ(rib)によって第１室１０aの内周面に付着されるか、または固定される。
【００４０】
また、前記第２室１０ｂを密閉するキャップ２０は、管軸方向の内側に陥没された空間部２０aが形成され、第２室１０ｂと通る通風ホール２１が配置される。
【００４１】
そして、該通風ホール２１は、キャップ２０の外側に該当するホールの内径は大きく、キャップ２０の内側に該当するホールの内径は小さく構成して溶融されたワックスの外部の流れを防止することが好ましく、より好ましくは、後述する本体１０を水平状態で保管する時に、円周方向の上部に設置されるようにする。
【００４２】
また、前記通風ホール２１は、前記本体１０を水平状態で保管する時に、その垂直方面の上側から内側に向いて垂直に貫通されるように形成することもできる。
【００４３】
また、ワックスが収容されるタンク側とキャップ側に空気の吸入を制御するバルブによってワックスが流れ出るように構成することもできる。
【００４４】
本発明に係る発熱体１３は、前記第１室１０aの出口１４側または前記第２室１０ｂの吐出口１６側の中で何れか一方側に選択的に配置されることが好ましい。
【００４５】
好ましくは、前記出口１４、前記流入口１５、吐出口１６の管路の中で少なくとも何れか一側には、溶融されたワックスに含有された異物質をこすフィルターが配置される。
【００４６】
また、好ましくは、前記タンク１１の外周面または前記本体１０の内周面側には、断熱材（Ｈ）が備えられる。
【００４７】
また、好ましくは、前記出口１４と流入口１５側の間の管路には、前記動作ボタンの動作によって管路を選択的に開放するか、または閉鎖するバルブ４０が備えられる。
【００４８】
また、前記バルブ４０は、前記動作ボタン１２と電気接続されたソレノイドであることが好ましい。
【００４９】
もちろん、前記バルブ４０は、動作ボタン１２によって動作されるソレノイドに限定して図面に示し、説明したが、これに限定されることなく、機械式に動作されることもできるし、動作ボタン１２の機能に代えてチューブを設置してチューブの動作によって供給される空気圧で溶融されたワックス溶液を吐出させることもできるし、このような実施形態は、多様に変更使用が可能である。
【００５０】
また、前記本体１０と連結される電線は、コネクタ１００によって分離及び結合可能に連結されることが好ましい。
【００５１】
一方、前記本体１０の外周面の一側は、傾斜面に沿って転がらないように少なくとも長さ方向に部分的に平坦面１８が形成されることが好ましい。
【００５２】
そして、好ましくは、前記流入口１５と前記吐出口１６の中で少なくとも何れか一側には、前記本体１０の第１、２室１０a、１０ｂを分離時に前記流入口１５または前記吐出口１６を通じて溶融されたワックス（Ｗ）が排出されることを遮断する第２バルブ５０がさらに備えられる。
【００５３】
また、該第２バルブ５０は、前記吐出口１６の内周面に円周方向に形成された少なくとも二つ以上の突起部５１と、これら突起部５１と前記流入口１５に向いた前記吐出口１６側に配置された弾性部材５２と、一側は前記弾性部材５２に弾性支持されるフランジ部５３aが備えられ、他側は前記フランジ部５３aの中心部から管軸方向に延長設置されて、前記流入口１５に向いて流入された作動ピン５３ｂを持つ作動部材５３と、前記流入口１５側に配置されて、前記作動ピン５３ｂの先端部が支持される網状のフィルター兼支持部材５４と、が備えられることが好ましい。
【００５４】
好ましくは、前記流入口１５と対向する前記吐出口１６の先端部の内径は、他端部の内径より小さい内径の環輪を形成して前記作動部材５３が離脱されないようにすることが好ましい。
【００５５】
また、好ましくは、前記第１室１０aの流入口１５側には、前記本体１０が未動作された状態で傾いた勾配を感知して前記バルブ４０を動作させて前記流入口１５の管路を閉鎖するか、または前記コントロールボックス（Ｃ）の動作を停止させる平衡感知部６０が備えられる。
【００５６】
ここで、該平衡感知部６０は、平衡感知センサーであることが好ましい。
【００５７】
該平衡感知センサーは、一般に、傾斜面とボールによる機構的なものが提案され得るが、気泡により平衡を感知するものなど、多様な種類の平衡感知センサーの中で何れか一つが適用されることができる。
【００５８】
しかし、他の実施形態として、前記第１室１０aの流入口１５側には、前記発熱体１３の温度を感知して前記バルブ４０を動作させて流入口１５の管路を閉鎖するか、または前記コントロールボックス（Ｃ）の動作を停止させる温度感知部６１が備えられることが好ましい。
【００５９】
ここで、前記センサー手段は、サーミスタのような温度感知センサーであることが好ましい。
【００６０】
すなわち、図６に示したように、電源供給部（Ｃ２）は、常用交流電源と必要な直流電圧を供給し、動作ボタン１２は、バルブの動作命令を発生さて、前記平衡感知部６０は、平衡感知センサーを含んで構成され、平衡感知信号を制御部（Ｃ１）に提供する。
【００６１】
前記温度感知部６１は、温度感知センサー、例えば、サーミスタを含んで構成され、感知された温度の信号を制御部（Ｃ１）に提供する。
【００６２】
前記発熱体駆動部（Ｃ３）は、制御部（Ｃ１）の制御によって前記発熱体１３に供給される電源を断続し、バルブ駆動部（Ｃ４）は、制御部（Ｃ１）の制御によって前記バルブ４０を開閉する。
【００６３】
前記制御部（Ｃ１）は、前記温度感知部６１から提供された温度感知値が設定された温度の基準値以上である場合に前記発熱体駆動部（Ｃ３）を制御して前記発熱体１３の動作を中止させる。
【００６４】
前記制御部（Ｃ１）は、前記動作ボタン１２が押された状態では、前記平衡感知部６０から不平衡信号が入力されても前記バルブ４０が開放されるように前記バルブ駆動部（Ｃ４）を制御する。
【００６５】
反面、前記動作ボタン１２が押されていない状態、すなわち、動作されていない状態では、前記平衡感知部６０から不平衡信号が入力された場合に前記バルブ駆動部（Ｃ４）を制御し、前記バルブ４０を閉鎖させることで、管路を通した液体ワックスの漏洩を遮断する。
【００６６】
また、本発明に係る前記ワックス（Ｗ）は、図８及び図９に示したように、棒状の単一体に形成され得るが、粒または粒子状に形成されることもできる。
【００６７】
一方、ここまでは本発明の実施形態について説明したが、これは、本体１０に第１、２室１０a、１０ｂが備えられて、前記本体１０の一端部には彫刻用チップが設置され、他端部にはキャップ２０が設置されていた。一方、図１０と図１１に示した他の実施形態は、前記本体１０が単一体に備えられて、 本体１０の一端部には彫刻用チップが分離/結合可能に備えられ、他端部にはキャップ２０が装着された構成である。
【００６８】
また、前記発熱体１３は、前記管体の長さ方向に対して少なくとも何れか一側に選択的に配置されることが好ましい。
【００６９】
また、前記発熱体１３は、前記管体のタンク側と彫刻用チップ側にそれぞれ配置されることもできる。
【００７０】
前記管体、前記出口側の何れか一側、または前記タンクの底面の中で少なくとも何れか一つには、前記ワックスに含有された異物質をこすフィルターが配置されることが好ましい。
【００７１】
また、前記管体の管路には、前記動作ボタンの動作によって管路を選択的に開放するか、または閉鎖するバルブ４０が備えられることが好ましい。
【００７２】
もちろん、前記バルブ４０は、前記動作ボタンと電気接続されたソレノイドであることが好ましい。
【００７３】
一方、前記出口と隣接した前記管体の管路側には、前記本体の勾配を感知して前記バルブ４０を動作させて流入口１５の管路を閉鎖するか、または供給される電源を制御する平衡感知部６０が備えられることが好ましく、この時に適用される平衡感知部６０は、平衡感知センサーであることが好ましい。
【００７４】
そして、前記出口と隣接した前記管体の管路側には、温度を感知して電源の供給を中断させる温度感知部が備えられることが好ましい。
【００７５】
以下、前記のように構成される本発明の動作について説明する。
【００７６】
また、後述する動作説明も本実施形態と他の実施形態とが同一であるから、本実施形態の電気ワックス彫刻刀のみについて限定して説明する。
【００７７】
まず、本発明が設置された状態は、図１及び図２に示した構成要素が全て結合された状態と言える。
【００７８】
また、前記のような状態は、前記タンク１１の内側には、単一の棒状または粒形状のワックス（Ｗ）が満たされた状態と言える。
【００７９】
また、前記のような状態は、コントロールボックス（Ｃ）の電源は、常用電源と電気接続されて持続的に電源の供給を受けている状態と言える。
【００８０】
一方、前記のような状態、すなわち、前記１、２室１０a、１０ｂが結合された状態は、図５の（a）のように、第２室１０ｂに備えられた作動部材５３の作動ピン５３ｂの先端部は前記流入口１５側の内側に備えられたフィルター兼支持部材５４に支持されることで、前記作動部材５３のフランジ部５３aは、弾性部材５２の弾性力を克服して流路を形成している状態と言える。
【００８１】
前記のような最初の状態で、電気ワックス彫刻刀を使用する時には、本出願人が特許登録したように、前記本体１０を把持した状態で前記彫刻用チップ３０に形成されたホール３１を通して前記タンク１１内で溶融されて流れる溶液を利用して作業を行う。
【００８２】
より具体的には、作業時に供給された電源で発熱体が彫刻刀の内部とチップを適当温度に維持させ、動作ボタンを動作時に溶融されたワックスが流れ出されるようにバルブを開放させる。
【００８３】
したがって、前記タンク１１内に収容されたワックス（Ｗ）が所定時間が過ぎた後に溶融されると、該溶融されたワックス（Ｗ）溶液は、図５の（a）に示した矢印のように、吐出口１６と流入口１４、そして開放されたバルブ４０と出口１４を通過した後、前記彫刻用チップ３０に形成されたホール３１を通して外部に流れ出るようになる。
【００８４】
したがって、使用者は、前記ホール３１を通して流れ出された溶液を利用して歯のモールディングなどをするようになる。
【００８５】
一方、本発明の支配的な特徴部の動作について説明すると、前記コントロールボックス（Ｃ）の内側に備えられた電源供給部（Ｃ２）は常用交流電源と必要な直流電圧を供給して発熱体を発熱させて、前記動作ボタン１２はバルブの動作命令を発生させて、前記平衡感知部６０は前記本体１０の平衡状態を感知するようになる。
【００８６】
また、前記温度感知部６１は、例えば、サーミスタなどから成る温度感知センサーは、設定された温度の以上に前記発熱体１３の温度が上昇するかを感知し、該感知された温度の信号を制御部（Ｃ１）に提供する。
【００８７】
前記のような状態で、前記発熱体駆動部（Ｃ３）は、前記制御部（Ｃ１）の制御によって前記発熱体１３に供給される電源を断続し、前記バルブ駆動部（Ｃ４）は、前記制御部（Ｃ１）の制御によって前記バルブ４０を開放して溶融されたワックスの排出動機を付与する。
【００８８】
一方、前記制御部（Ｃ１）は、前記温度感知部６１から提供された温度感知値が設定された温度の基準値の以上である場合に前記発熱体駆動部（Ｃ３）を制御して前記発熱体１３の動作を中止させ、もし、前記制御部（Ｃ１）の動作ボタン１２が押された状態で前記平衡感知部６０から不平衡信号が入力されても前記バルブ４０が開放されるように前記バルブ駆動部（Ｃ４）を制御することで、傾いた状態で前記本体１０の使用を持続させることができる。
【００８９】
反面、前記動作ボタン１２が押されていない状態、すなわち、動作されていない状態で前記平衡感知部６０から不平衡信号が入力された場合に前記バルブ駆動部（Ｃ４）を制御して前記バルブ４０を閉鎖させることで、管路を通した液体ワックスの漏洩を遮断する。
【００９０】
一方、ワックス溶液が持続的に排出される間には、前記キャップ２０に形成されたホール２１を通して流入される大気圧によって溶液は人為的な力を加えなくても容易に流れ出される。
【００９１】
より好ましくは、前記ホール２１の開閉を制御するバルブを追加して溶融ワックスの吐出量を制御することができる。
【００９２】
そして、前記のような状態で、例えば、しばらく使用しない時には、前記本体１０を作業空間の周辺の平坦な所におくと、前記本体１０の下側面に形成された平坦面１８は、前記本体１０が水平状態を維持するようにし、また、前記のような状態を維持する間には、前記キャップ２０に形成された空間部２０aによって体積が大きく形成されるから、前記キャップ２０の上側に配列された通風ホール２１を通してワックス溶液が外部に排出されなくなる。
【００９３】
反面、前記彫刻チップ３０が低い方向を向いた状態で使用をしなくなると、前記平衡感知部６０がこれを感知し、上述ように、不平衡信号が入力された場合に前記バルブ駆動部（Ｃ４）を制御し、前記バルブ４０を閉鎖させることで、管路を通した液体ワックスの漏洩を遮断する。
【００９４】
そして、前記第１、２室１０a、１０ｂが備えられた本体１０をアフターサービスまたは洗浄のために分離する時に、図５の（ｂ）のように、前記弾性部材５２の弾性復元力によって前記作動部材５３のフランジ部５３aを一方向に押すようになるから、該フランジ部５３aの内側面によって前記吐出口１６を密閉するようになることで、該吐出口１６を通じて溶融されたワックスが排出されることを遮断する。
【００９５】
図１０及び図１１に示した本発明の第２実施形態の構成及び動作は、上述した第１実施形態の構成及び動作と同一であるから、これに対する説明は省略する。
【００９６】
前記実施形態の電子式バルブの他にもゴムチューブなどを採用して空気圧出によって溶融ワックスの吐出量を制御することもできる。
【００９７】
一方、図１２乃至図１４は、本発明の第３実施形態を示した断面図である。
【００９８】
本発明の第３実施形態においては、図１２乃至図１４に示したように、本体１０は、内部にワックスが収容されるタンクが一側に配置され、他側には、第１、２実施形態と同様に、溶融されたワックスが漏出される彫刻用チップ３０が配列され、その間には、管路の機能をしながら溶融されたワックスを選択的に排出するソレノイドバルブ４０と第２バルブ５０とがお互い結合されて備えられる。
【００９９】
また、人の手で前記本体１０を握るから、握る部分には、前記本体１０の外周面に沿って断熱材が備えられることが好ましく、図示されていないが、第３実施形態においては、網状のフィルター兼資材部材５４により支持されるのではなく、管路内の構造物により支持されるように構成される。
【０１００】
ここで、前記ソレノイドバルブ４０と第２バルブ５０は、前記本体１０の外側に備えられた動作ボタン１２の動作及びその動作によってＰＣＢから成る制御部（Ｃ１）の動作によって開閉されて動作が制御される。
【０１０１】
しかし、第３実施形態の最も大きい特徴部は、前記本体１０の内部に備えられたワックスが満たされるタンク１１は、キャップ２０と分離された後に再びワックスをリフィルするか、または前記キャップ２０を分離した状態で前記タンク１１が別途に分離されて一回用に使用可能であるという点である。
【０１０２】
この時、前記タンク１１に設けられている第２バルブ５０がソレノイドバルブ４０から分離されて、前記第２バルブ５０は、分離されると同時にワックスを遮断する。
【０１０３】
また、前記キャップ２０に備えられた空気調節バルブ２２を回転させて通風ホール２１の間隙を調節して前記タンク１１の内部に大気圧が作用されるようにすることで、溶融されたワックスの流量を調節することもできる。
【０１０４】
もちろん、このような目的をより効果的に達成するためには、前記空気調節バルブ２２と前記タンク１１とが相接する部分に一方向のみに向いて開放されるチェックバルブ（図示せず）を装着することもできる。
【０１０５】
また、第３実施形態のさらに別の特徴部は、前記タンク１１に満たされたワックスが前記彫刻用チップ３０を通して流出されるように、前記タンク１１と前記彫刻用チップ３０の間には、管路の機能をしながら溶融されたワックスの流れを制御するようにソレノイドバルブ４０と第２バルブ５０とがお互い分離可能に装着される点である。
【０１０６】
前記ソレノイドバルブ４０と第２バルブ５０は、前記動作ボタン１２の動作と制御部（Ｃ１）の制御によって動作される。
【０１０７】
前記第３実施形態は、第１、２実施形態に比べて比較的に内部の構造が簡単に成されたもので、前記彫刻用チップ３０が設置された本体１０の先端部は分離可能でもあるが、 前記キャップ２０を除いた本体１０を単一体に製作することもできる。
【図面の簡単な説明】
【０１０８】
【図１】本発明に係る電気ワックス彫刻刀の第１実施形態を示した分解斜視図である。
【図２】本発明に係る電気ワックス彫刻刀の全体的な構成を示した例示図である。
【図３】本発明に係るフィルターの設置状態を示した拡大図である。
【図４】本発明の第１実施形態の他の使用例を示した斜視図である。
【図５（ａ）（ｂ）】本発明に係る第２バルブの動作状態を示した拡大断面図である。
【図６】本発明に係る電気的な機能を示したブロック図である。
【図７】本発明の第１実施形態の他の使用例を全体的に示した斜視図である。
【図８】本発明に係るワックスの実施形態を示した断面図である。
【図９】本発明に係るワックスの実施形態を示した断面図である。
【図１０】本発明に係る電気ワックス彫刻刀の他の実施形態を示した断面図である。
【図１１】図１０の結合状態を示した斜視図である。
【図１２】本発明の第３実施形態を示した断面図である。
【図１３】第３実施形態に係る図１２の分解状態を示した断面図である。
【図１４】第３実施形態に係る図１２の他の分解状態を示した断面図である。
【符号の説明】
【０１０９】
１０：本体
１０a、１０ｂ：第１、２室
１１：タンク
１２：動作ボタン
１３：発熱体
１４：出口
１５：流入口
１６：吐出口
１７：フィルター
１８：平坦面
２０：キャップ
２１a：空間部
２１：通風ホール
２２：空気調節バルブ
３０：彫刻用チップ
３１：ホール
４０：バルブ
５０：第２バルブ
５１：突起部
５２：弾性部材
５３：作動部材
５３a：フランジ部
５３ｂ：作動ピン
５４：フィルター兼支持部材
５５：タンクの底面部
６０：平衡感知部
６１：温度感知部
７０：彫刻用チップ結合部
１００：コネクタ
Ｃ：コントロールボックス
Ｃ１：制御部
Ｃ２：電源供給部
Ｃ３：発熱体駆動部
Ｃ４：バルブ駆動部
Ｈ：断熱材
Ｗ：ワックス
【図１】
2007521060.tif 000003
【図２】
2007521060.tif 000004
【図３】
2007521060.tif 000005
【図４】
2007521060.tif 000006
【図５】
2007521060.tif 000007
【図６】
2007521060.tif 000008
【図７】
2007521060.tif 000009
【図８】
2007521060.tif 000010
【図９】
2007521060.tif 000011
【図１０】
2007521060.tif 000012
【図１１】
2007521060.tif 000013
【図１２】
2007521060.tif 000014
【図１３】
2007521060.tif 000015
【図１４】
2007521060.tif 000016
【手続補正書】
【提出日】平成17年1月26日(2005.1.26)
【手続補正１】
【補正対象書類名】特許請求の範囲
【補正対象項目名】全文
【補正方法】変更
【補正の内容】
【特許請求の範囲】
【請求項１】
中空の管体の内側に備えられたタンクにワックスが収容される本体と、該本体の一端部に装着され、ホールが形成された彫刻用チップと、電源の供給によって発熱される発熱体と、前記本体と電気接続されるように電線によって連結された電気ワックス彫刻刀において、
前記本体は、分離/結合が可能な複数個の室から構成され、少なくとも一つの室には、彫刻用チップ結合部が形成されて、前記タンクと彫刻用チップ結合部とを連結して管路を形成する管体が備えられたことを特徴とする電気ワックス彫刻刀。
【請求項２】
前記本体は、一端部に彫刻用チップ結合部と連結される出口が形成され、他端部は流入口が形成される管体を持つ第１室と、
該第１室の管体の流入口に連結される吐出口が形成されて、内側にワックスが収容されるタンクを持つ第２室と、が備えられたことを特徴とする請求項１記載の電気ワックス彫刻刀。
【請求項３】
前記発熱体は、前記第１室の出口側または前記第２室の吐出口側の中で少なくとも何れか一側に選択的に配置されたことを特徴とする請求項２記載の電気ワックス彫刻刀。
【請求項４】
前記出口、流入口、吐出口の管路及びタンク底面部の中で少なくとも何れか一側には、溶融されたワックスに含有された異物質をこすフィルターがさらに含まれることを特徴とする請求項２記載の電気ワックス彫刻刀。
【請求項５】
前記出口と流入口側の間の管路には、前記動作ボタンの動作によって管路を選択的に開放するか、または閉鎖するバルブが備えられたことを特徴とする請求項２記載の電気ワックス彫刻刀。
【請求項６】
前記バルブは、前記動作ボタンと電気接続されたソレノイドであることを特徴とする請求項５記載の電気ワックス彫刻刀。
【請求項７】
前記本体またはキャップ部側の何れか一側に、空気の流入を制御して溶融ワックスが空気の流入ホールに漏洩されることを防止する空気調節バルブが備えられることを特徴とする請求項２記載の電気ワックス彫刻刀。
【請求項８】
前記空気調節バルブは、角度によって開閉されることを特徴とする請求項７記載の電気ワックス彫刻刀。
【請求項９】
前記本体またはキャップ部に傾いた勾配を感知する勾配感知部が備えられることを特徴とする請求項２記載の電気ワックス彫刻刀。
【請求項１０】
前記流入口と前記吐出口の少なくとも何れか一側には、前記本体の第１、２室を分離時に前記流入口または前記吐出口を通じて溶融されたワックスが排出されることを遮断する第２バルブがさらに備えられたことを特徴とする請求項２記載の電気ワックス彫刻刀。
【請求項１１】
前記第２バルブは、前記吐出口の内周面に円周方向に形成された少なくとも二つ以上の突起部と、
これら突起部と前記流入口に向いた前記吐出口側に配置された弾性部材と、
一側には前記弾性部材に支持されるフランジ部が備えられ、他側には前記フランジ部の中心部から管軸方向に延長設置されて前記流入口に向いて流入された作動ピンを持つ作動部材と、
前記流入口側に配置されて、前記作動ピンの一端部が前記フィルターに支持されることを特徴とする請求項１０記載の電気ワックス彫刻刀。
【請求項１２】
前記第１室には、前記発熱体の温度を感知して電源が供給されることを遮断する温度感知部が備えられたことを特徴とする請求項２記載の電気ワックス彫刻刀。
【請求項１３】
中空の内側にワックスが収容されるタンクを持つ本体と、該本体の一端部に装着される彫刻用チップの電源の供給によって発熱される発熱体と、該発熱体と電気接続されるように電線によって連結された電気ワックス彫刻刀において、
前記本体は、前記彫刻用チップが結合される彫刻用チップ結合部が本体に一体に形成されて、その内側にワックスが入るタンクが装着され、前記結合部と前記タンクとを連結して管路を形成する管体が備えられたことを特徴とする電気ワックス彫刻刀。
【請求項１４】
前記発熱体は、前記管体の長さ方向に対して少なくとも何れか一側に選択的に配置されたことを特徴とする請求項１３記載の電気ワックス彫刻刀。
【請求項１５】
前記発熱体は、前記管体のタンク側と彫刻用チップ側にそれぞれ配置されたことを特徴とする請求項１３記載の電気ワックス彫刻刀。
【請求項１６】
前記管体、前記出口側の何れか一側、または前記タンクの底面の中で少なくとも何れか一つには、前記ワックスに含有された異物質をこすフィルターがさらに配置されたことを特徴とする請求項１３記載の電気ワックス彫刻刀。
【請求項１７】
前記管体の管路には、前記動作ボタンの動作によって管路を選択的に開放するか、または閉鎖するバルブがさらに備えられたことを特徴とする請求項１３記載の電気ワックス彫刻刀。
【請求項１８】
前記バルブは、前記動作ボタンと電気接続されたソレノイドバルブであることを特徴とする請求項１７記載の電気ワックス彫刻刀。
【請求項１９】
前記本体またはキャップ部側の何れか一側に空気の流入を制御して溶融ワックスが空気の流入ホールに漏洩されることを防止する空気調節バルブが備えられることを特徴とする請求項１３記載の電気ワックス彫刻刀。
【請求項２０】
前記空気調節バルブが角度によって開閉されることを特徴とする請求項１９記載の電気ワックス彫刻刀。
【請求項２１】
前記本体またはキャップ部に傾いた勾配を感知する勾配感知部が備えられることを特徴とする請求１３項記載の電気ワックス彫刻刀。
【請求項２２】
前記出口と隣接した前記管体の管路側には、温度を感知して電源の供給を中断させる温度感知部が備えられたことを特徴とする請求項１３記載の電気ワックス彫刻刀。
【請求項２３】
中空体が備えられた内側にワックスが収容されるタンクを持つ本体と、該本体の一端部に装着される彫刻用チップと、電源の供給によって発熱される発熱体と、該発熱体と電気接続されるように電線によって連結された電気ワックス彫刻刀において、
前記本体は、外側面に動作ボタンが備えられて、該動作ボタンが設置された内側には、動作ボタンによって動作されるバルブが配置され、前記彫刻用チップと前記タンクの間には、一側は彫刻用チップと管路を形成し、他方はタンクの出口側と管路を形成するバルブが動作ボタンの動作によって動作されるように装着されたことを特徴とする電気ワックス彫刻刀。
【請求項２４】
前記本体またはキャップ部側の何れか一側に空気の流入を制御して溶融ワックスが空気の流入ホールに漏洩されることを防止する空気調節バルブが備えられることを特徴とする請求項２３記載の電気ワックス彫刻刀。
【請求項２５】
前記空気調節バルブが角度によって開閉されることを特徴とする請求項２４記載の電気ワックス彫刻刀。
【請求項２６】
前記本体またはキャップ部に傾いた勾配を感知する勾配感知部が備えられることを特徴とする請求項２３記載の電気ワックス彫刻刀。
【請求項２７】
前記本体の他端部には、空気調節バルブが備えられたキャップが装着され、前記タンクは、前記キャップと共に一体で分離されるように備えられたことを特徴とする請求項２３記載の電気ワックス彫刻刀。
【請求項２８】
前記タンクは、その一端部と他端部がそれぞれ前記キャップと前記バルブから分離可能に設置され、出口側である他端部には異物質をこすフィルターが配置されて、内部には一回用ワックスが入っていることを特徴とする請求項２３記載の電気ワックス彫刻刀。
【請求項２９】
前記発熱体は、前記彫刻用チップ、前記バルブ、そして前記タンクの出口側の中で少なくとも何れか一方に配置されたことを特徴とする請求項２３記載の電気ワックス彫刻刀。
【国際調査報告】
2007521060.tif 000017
2007521060.tif 000018